(57)【要約】【課題】ユーザが携帯した荷物を保持可能な画像形成装置を得る。【解決手段】画像出力装置１２の上面のメディアドライブ２０側に収納凹部２６を凹設し、該収納凹部２６を開閉する蓋体２８を設けている。この収納凹部２６内にデジタルカメラ２５を収納し、蓋体２８を閉止する。これにより、該デジタルカメラ２５は拘束されることとなる。したがって、ＵＩ操作部１４の操作を行っている間に、画像出力装置１２上に置いたデジタルカメラ２５が盗難されたり、デジタルカメラ２５に当って該デジタルカメラ２５を落下させてしまったり等の問題は生じない。【選択図】図１
2008298995.tif 000002
【特許請求の範囲】
【請求項１】
ユーザの携帯物の置場スペース、収納室、又は引掛け部を装置本体に設けたことを特徴とする画像形成装置。
【請求項２】
前記収納室は、引出し箱又は開閉蓋付の箱であることを特徴とする請求項１に記載の画像形成装置。
【請求項３】
前記置場スペースは、前記装置本体から取り出される板材であることを特徴とする請求項１に記載の画像形成装置。
【請求項４】
前記引掛け部は、前記装置本体に固定されたフックと、回転して前記フックの開放部を閉じるロック部材と、を含んで構成されたことを特徴とする請求項１に記載の画像形成装置。
【発明の詳細な説明】
【技術分野】
【０００１】
本発明は、画像形成装置に関するものである。
【背景技術】
【０００２】
プリンタ，コピー機，スキャナ，ファックシミリ，複合装置等に代表される画像形成装置には、印刷媒体である用紙をセットしておくための給紙カセットが一つ又は二つ以上備えられているが、給紙カセットに補給されている用紙が、例えば小切手や有価証券等の原紙（高額用紙）である場合、それら高額用紙の盗難による金銭的な被害と不正使用の危険性を防止するため、特許文献１では、給紙カセット内の用紙が無くなるまで開錠できないようにしている。
【０００３】
ところで、コンビニエンスストアなどのパブリック市場では、お客様（ユーザ）がコピーする原稿とともに、かばんなど自分の荷物を持ち込む事が多いが、画像形成装置の周辺に不特定多数の人が出入りするため、コピー作業において、自分が持ち込んだ荷物に関して注意を払う必要がある。
【特許文献１】特開平２００５−１５７３３４号公報
【発明の開示】
【発明が解決しようとする課題】
【０００４】
本発明は上記事実を考慮し、ユーザが携帯した荷物を保持可能な画像形成装置を得ることを目的とする。
【課題を解決するための手段】
【０００５】
請求項１に記載の発明は、画像形成装置において、ユーザの携帯物の置場スペース、収納室、又は引掛け部を装置本体に設けたことを特徴とする。
【０００６】
請求項２に記載の発明は、請求項１に記載の画像形成装置において、前記収納室は、引出し箱又は開閉蓋付の箱であることを特徴とする。
【０００７】
請求項３に記載の発明は、請求項１に記載の画像形成装置において、前記置場スペースは、前記装置本体から取り出される板材であることを特徴とする。
【０００８】
請求項４に記載の発明は、請求項１に記載の画像形成装置において、前記引掛け部は、前記装置本体に固定されたフックと、回転して前記フックの開放部を閉じるロック部材と、を含んで構成されたことを特徴とする。
【発明の効果】
【０００９】
請求項１に記載の発明では、ユーザの携帯物（かばん、ハンドバッグ、リュック、買い物袋、傘、コピーする原稿、ファイルなど）を置場スペースに置いたり、収納室内に収納したり、又は引掛け部に引っ掛けたりすることで、該携帯物の盗難・紛失の恐れが少なくなる。
【００１０】
請求項２、４に記載の発明では、ユーザの携帯物を拘束することができるため、該携帯物の盗難を防止することができる。
【００１１】
請求項３に記載の発明では、不要なときは、装置本体に収納することができる。
【発明を実施するための最良の形態】
【００１２】
以下に、本発明の画像形成装置に係る実施形態の一例を図面に基づき説明する。
【００１３】
（第１実施形態）
まず、本発明の第１実施の形態に係る画像形成装置について説明する。
【００１４】
図１には、コンビニエンスストア等パブリック市場で用いられるデジタルプリント装置１０が示されている。このデジタルプリント装置１０は、コピー、プリンタ、及びＦＡＸ機能を備えた画像出力装置１２と、液晶表示板からなる表示パネル上にタッチパネルが重ねられて構成されたユーザインタフェース操作部１４（以下、「ＵＩ操作部１４」という）を備えたパソコン１６（以下、「ＰＣ１６」という）と、投入された金額に応じた枚数のコピー／プリントを許可するための課金装置１８と、を備えている。
【００１５】
ＰＣ１６は、装填された記録媒体（図示省略）に対してデータを読み書きするメディアドライブ２０を有している。このメディアドライブ２０に装填された記録媒体から読み取ったメディアデータは、メディアドライブ２０に内蔵された制御部（図示省略）を介してＵＩ操作部１４に表示される。
【００１６】
このＵＩ操作部１４には、ユーザがデジタルカメラ２５で撮影した際の画像データ等が記録された記録媒体（スマートメディア（登録商標）等の記録メディア）から読み取ったメディアデータをプリントする際に必要な一連の操作（プリントする画像データの選択、プリント枚数の入力、編集指示、プリント開始等）も表示されるようになっている。
【００１７】
一方、画像出力装置１２は、原稿を載せる原稿台４６と、該原稿台４６を覆うカバー４８が原稿台４６に対して開閉可能に設けられ、画像出力装置１２の上面に設けられた操作パネル５０を操作してコピー操作を可能としている。また、画像出力装置１２はプリント部２２を有しており、このプリント部２２は、図示はしないが、感光体、露光部、現像部及び定着搬送部などの機構を含んで構成されている。
【００１８】
そして、ＰＣ１６から入力された記録媒体のメディアデータ、或いはスキャナ機能を構成するスキャナモジュール、ＦＡＸ機能を構成するＦＡＸモジュール、又はプリンタ機能を構成するプリンタモジュールからの画像データ、に基づいて、課金装置１８に投入した金額に応じて、画像を形成する。
【００１９】
そして、記録媒体のメディアデータに基づいて画像が形成された記録紙は、画像出力装置１２に設けられたプリント取出口２４から排出され、プリンタモジュール等による画像データに基づいて画像が形成された記録紙は、画像出力装置１２の側面などに設けられた排出トレイ上に排出されることとなるが、ここでは、説明の便宜上、排出トレイの位置は特定しないため、図示を省略する。
【００２０】
次に、本発明の第１実施形態に係る画像形成装置の要旨について説明する。
【００２１】
図１に示すように、画像出力装置１２の上面のメディアドライブ２０側に、略箱状の収納凹部２６を凹設している。この収納凹部２６には、該収納凹部２６を開閉する蓋体２８を設け、画像出力装置１２の奥方へ向かって開放可能としている。そして、この収納凹部２６の大きさを、デジタルカメラ２５が収納可能な大きさとしている。
【００２２】
デジタルカメラ２５に装填された記録媒体をメディアドライブ２０に装填するとき、記録媒体を抜き取った後のデジタルカメラ２５は、ＵＩ操作部１４の操作を行うに当って邪魔になってしまう。このため、このデジタルカメラ２５を収納凹部２６内に収納し、蓋体２８を閉止する。これにより、該デジタルカメラ２５は拘束されることとなる。
【００２３】
したがって、ＵＩ操作部１４の操作を行っている間に、画像出力装置１２上に置いたデジタルカメラ２５が盗難されたり、デジタルカメラ２５に当って該デジタルカメラ２５を落下させてしまったり等の問題は生じない。また、このような問題が生じないため、安心、かつ集中してＵＩ操作部１４の操作を行うことができる。
【００２４】
なお、ここでは、収納凹部２６内にデジタルカメラ２５を収納するようにしたが、デジタルカメラに限るものではない。また、この収納凹部２６を画像出力装置１２の上面に設けたが、この位置に限るものではない。例えば、図示はしないが、画像出力装置１２の前面や側面に収納箱を設けても良い。
【００２５】
また、図２に示すように（なお、ここでは、課金装置１８などの図示を省略している）、ＰＣ１６及びメディアドライブ２０を載せる載置台３０を中空状にし、引出しタイプの収納箱３２を該載置台３０内でスライド移動させるようにしても良い。
【００２６】
収納箱３２の前面には、切欠き部３２Ａを形成し、指が掛るようにする。この切欠き部３２Ａに指を掛け、収納箱３２を手前側に引くと該収納箱３２が引き出され、収納箱３２内にデジタルカメラ２５を収納させることができる。そして、収納箱３２を載置台３０の内部に収納すると、該デジタルカメラ２５は拘束され、容易に取り出すことはできない。
【００２７】
さらに、図３に示すように、載置台３０に凹部３４を形成し（ここでは、該凹部３４の断面は略弓形形状を成しているが、表面が凹んでいれば特にその形状は特定されない）、該凹部３４内にデジタルカメラ２５を置くようにしても良い。
【００２８】
この場合、デジタルカメラ２５はその外観が露出することとなるが、ＵＩ操作部１４を操作するユーザの立ち位置は該凹部３４の前であり、ＵＩ操作部１４とユーザとの間に凹部３４が配置されることとなるため、該凹部３４内にデジタルカメラ２５を仮置きすることで、該デジタルカメラ２５を監視することができ、安心してＵＩ操作部１４の操作を行うことができる。
【００２９】
またさらに、図４に示すように、載置台３０の下部に一対の軸部３６を設け、デジタルカメラ２５を仮置きする矩形凹部３８が凹設されたトレイ４０を、該軸部３６で回転可能に支持し、必要なときに軸部３６を中心に該トレイ４０を１８０度回転させ、載置台３０の前面に露出させて使用できるようにしても良い。この場合、該軸部３６にはラチェット機構等（図示省略）を設け、トレイ４０が水平状態を維持できるようにする。
【００３０】
（第２実施形態）
次に、本発明の第２実施の形態に係る画像形成装置について説明する。なお、第１実施形態と略同一の内容については説明を省略する。
【００３１】
図５に示すように、コピー、プリンタ、及びＦＡＸ機能を備えた画像出力装置１２において（なお、ここでは、図１示すＵＩ操作部１４及びパソコン１６は必ずしも必要ではない）、画像出力装置１２の前面に画像出力装置１２の幅方向に沿って、Ａ４サイズのファイル４３が収納可能な収納ボックス４４を２個設けている。
【００３２】
画像出力装置１２を利用するユーザは、画像出力装置１２の原稿台４６に原稿を載せた状態で、カバー４８を閉止し、課金装置１８に投入した金額に応じて、画像出力装置１２の上面に設けられた操作パネル５０を操作してコピーを行うが、ファイル、書類入れなどの中から、コピーしたい原稿を抜き出した際、そのファイル、書類入れなどを該収納ボックス４４に収納することができる。
【００３３】
また、収納ボックス４４は２個あるため、一方の収納ボックス４４にコピー前の原稿を収納し、他方の収納ボックス４４にコピー後の原稿を収納することで、コピー前の原稿とコピー後の原稿が混ざらないようにすることができる。
【００３４】
このように、収納ボックス４４内にファイル、原稿、記録紙などを収納することで、これらに機密情報などが含まれている場合でも、情報の漏洩を防止することができる。また、コピー操作等に集中していても、これらの資料が盗難、紛失などに遭う恐れはない。
【００３５】
なお、ここでは、収納ボックス４４を画像出力装置１２の前面側に設けたが、給紙カセットの位置などによって、収納ボックス４４を設ける位置は変わる。また、ファイルや原稿などを保持することができれば良いため、収納ボックス４４に限るものではない。
【００３６】
例えば、図６に示すように、画像出力装置１２の側面（前面でも良い）に、断面がＬ字状のファイルポケット４５を設け、該ファイルポケット４５にファイル４７や原稿などを保持させるようにしても良い。この場合、ファイルポケット４５の幅方向の側壁は開口となっているため、Ａ４以上のファイル４７でも保持可能となる。
【００３７】
また、図７に示すように、画像出力装置１２の周囲を立壁４８で囲い、画像出力装置１２の幅方向に位置する該立壁４８の内側に、ファイルポケット４５を設けても良い。この場合、ファイルポケット４５が外部に露出しないため、コピー操作等に集中していても、これらの資料が盗難、紛失などに遭う恐れはない。
【００３８】
ここで、上述の画像出力装置１２では、排出トレイについて言及していないが、例えば、図８に示すように、排出トレイ５２の基部側に軸部５４を設け、排出トレイ５２を開閉するカバー５６を該軸部５４で開閉可能に支持する。そして、カバー５６を開放して初めて排出トレイ５２が開放され、該排出トレイ５２上の記録紙Ｐを取り出せるようにしても良い。これにより、コピー中に排出された記録紙Ｐの盗難や紛失に遭うことを防止する。
【００３９】
また、図９（Ａ）、（Ｂ）に示すように、排出トレイ５８が画像出力装置６０の中央部に設けられている場合、開口部６２に蛇腹状のカバー６４を設けても良い。開口部６２の上下及びカバー６４の屈曲部６４Ａにマグネット６６を設け、カバー６４を開放させると互いに磁着させるようにすることで、開放状態は維持される。そして、カバー６４を開放して初めて排出トレイ５８が開放され、該排出トレイ５８上の記録紙Ｐを取り出せるようにする。
【００４０】
（第３実施形態）
次に、本発明の第３実施の形態に係る画像形成装置について説明する。なお、第２実施形態と略同一の内容については説明を省略する。
【００４１】
図１０に示すように、画像出力装置１２の前面（側面でも良い）に板状の載置台６８を設けるようにしても良い。パブリック市場で画像出力装置１２を利用する場合、ユーザの多くは、かばん６７、ハンドバッグ、リュック、買い物袋などの荷物を持っている。
【００４２】
このため、コピー操作を行う際には、これらの荷物が邪魔になるため、足下に置いたりする場合もあるが、本実施例によれば、載置台６８にこれらの荷物を載せることができるため、荷物の紛失を防止でき、安心かつ集中してコピーなどの操作ができる。
【００４３】
ここで、載置台６８を必要としない場合もあり、この場合は該載置台６８が却って邪魔になってしまう。このため、図示はないが、該載置台６８を折り畳み式にするか、或いは図１１に示すように、載置台６８を画像出力装置１２内に収納可能にしても良い。
【００４４】
この場合、画像出力装置１２の前面には、矩形孔７０が形成され、画像出力装置１２の内部には、該矩形孔７０と繋がる箱状の中空部７２が形成されて、該中空部７２内で載置台６８をスライド可能としている。
【００４５】
また、矩形孔７０の上壁中央には、切欠き部７０Ａが形成されている。一方、載置台６８の前方側には、孔部６８Ａが形成され、切欠き部７０Ａを通じて、該孔部６８Ａに手が掛るようにしている。これにより、載置台６８の引出しが可能となる。
【００４６】
なお、ここでは、載置台６８を手動で引き出すようにしたが、載置台６８及び画像出力装置１２に、所謂プッシュ・オープン式のロック機構（ハートカムを用いて該ハートカムの外形に沿ってピンを移動させることでロック或いはロック解除される機構）を設け、載置台６８の前面を押圧すると、ロック状態が解除されバネ力によって、該載置台６８が押出され、再度載置台６８の前面を押圧すると、載置台６８が画像出力装置１２内に収納された状態でロックされるようにしても良い。
【００４７】
また、載置台６８は一つに限るものではなく、図１２に示すように、上下二段に引出し可能としても良いし、また、二つの載置台６８が垂直方向で互い違いとなるようにしても良い。
【００４８】
（第４実施形態）
次に、本発明の第４実施の形態に係る画像形成装置について説明する。なお、第３実施形態と略同一の内容については説明を省略する。
【００４９】
図１３に示すように、画像出力装置１２の上面の操作パネル５０の近傍に位置する画像出力装置１２の角部に、円柱状の引掛け部７４を突出させている。この引掛け部７４には、かばんやハンドバッグ７５、リュック、買い物袋などの荷物を引っ掛けることができるため、コピー操作を行う際に、これらの荷物を足下に置く必要がなくなる。
【００５０】
ここで、例えば、前述したプッシュ・オープン式のロック機構を用いて、引掛け部７４を画像出力装置１２に対して出入可能にすることで、引掛け部７４が不要なとき、該引掛け部７４を画像出力装置１２内に収納させるようにしても良い。
【００５１】
また、図１４に示すように、該引掛け部７４を複数設けることで、複数の荷物を該引掛け部７４に引っ掛けることができるようにしても良い。この場合、引掛け部７４を画像出力装置１２の幅方向に沿った両角部に設けるようにしても良く、画像出力装置１２の配置場所などによって都合の良い側の引掛け部７４を使用するようにしても良い。
【００５２】
また、引掛け部７４以外にも、図１５に示すように、画像出力装置１２の前面（側面でも良い）に、断面が略Ｌ字状を成すフック７６を設け、該フック７６にかばんやハンドバッグ７５、リュック、買い物袋などの荷物を引っ掛けるようにしても良い。
【００５３】
そして、図１６（Ａ）、（Ｂ）に示すように、画像出力装置１２の前面に略矩形状の収納部７８を設け、該フック７６が該収納部７８内に収納されるようにしても良い。この場合、フック７６は軸部８０で回転可能に支持されて、フック７６が収納部７８の底壁７８Ａに当った状態で該フック７６は移動規制され、フック７６が外部に露出して使用可能となる。また、フック７６が収納部７８の奥壁７８Ｂに当った状態で収納部７８内に収納される。また、この場合も、図１７（Ａ）、（Ｂ）に示すように、フック７６を複数設けても良い。
【００５４】
（第５実施形態）
次に、本発明の第５実施の形態に係る画像形成装置について説明する。なお、第４実施形態と略同一の内容については説明を省略する。
【００５５】
図１８（Ａ）、（Ｂ）に示すように、画像出力装置１２の前面に、断面が略Ｌ字状を成すフック７６を設け、該フック７６の上部には、画像出力装置１２に設けられた軸部８４に対して回転可能なロック部材８６を設けて、フック７６の開放部を閉塞可能としている。
【００５６】
このロック部材８６がフック７６の先端部に当ることで、フック７６が閉塞された状態となり、フック７６にかばんやハンドバッグ７５などを引っ掛けることも、また、フック７６に引っ掛けたかばんやハンドバッグ７５をフック７６から取り外すこともできなくなる。つまり、これにより、かばんやハンドバッグ７５を拘束し、第三者によって不用意に持っていかれないようにする。
【００５７】
また、図１９に示すように、画像出力装置１２の前面に、荷物を収納できる荷物入れ８８を出入可能に設けても良い。この場合、画像出力装置１２の前面には、矩形孔９０が形成され、画像出力装置１２の内部には、該矩形孔９０と繋がる箱状の中空部９２が形成されて、該中空部９２内で箱状の荷物入れ８８をスライド可能としている。
【００５８】
また、荷物入れ８８の前面上端部には、円弧状の切欠き部８８Ａが形成され、該切欠き部８８Ａに手を掛けた状態で荷物入れ８８を引張ると、荷物入れ８８が引き出され、外部に露出することとなる。このように、荷物入れ８８が引き出された状態で、荷物入れ８８内にかばん６７等の荷物を入れ、該荷物入れ８８を画像出力装置１２内に収納すると、荷物入れ８８内の荷物は拘束されることとなり、第三者によって不用意に持っていかれることがない。
【００５９】
さらに、図２０に示すように、画像出力装置１２の側部に荷物部９４を設けても良い。この荷物部９４に略箱状（略箱状に限るものではない）の荷物入れ９６を凹設し、該荷物入れ９６内に荷物を収納可能とする。また、荷物部９４には、荷物入れ９６を開閉する開閉蓋９８を設け、荷物入れ９６内に荷物を入れ、開閉蓋９８を閉止すると、該荷物は荷物入れ９６内で拘束されることとなる。
【００６０】
ここでは、収納された荷物などを拘束できるようにし、開閉蓋９８を開放すると該荷物が取り出せるようにしたが、例えば、課金装置１８と連動させ、この拘束の有無を行うことができるようにしても良い。つまり、画像出力装置１２を使用すると、開閉蓋９８が閉止状態のままロックされ、画像出力装置１２の使用を終了すると、開閉蓋９８の閉止状態が解除されるようにする。
【００６１】
（第６実施形態）
次に、本発明の第６実施の形態に係る画像形成装置について説明する。なお、第５実施形態と略同一の内容については説明を省略する。
【００６２】
図２１に示すように、画像出力装置１２の前面に傘立て１００を設けても良い。この傘立て１００は直方体状を成し垂直方向に沿って略円錐状の凹部１００Ａが形成されているが、この形状に限るものではない。また、傘に限るものではなく、つえなどでも良い。
【００６３】
パブリック市場では、傘立てが設けられ、該傘立てに傘を入れるようになっているが、不特定多数の人が訪れるため、傘を間違えられたり盗難されたりすることも懸念され、傘を持ち歩く人が増えている。このように、傘を持ち歩く場合、コピー時にはその傘が邪魔になってしまう。このため、画像出力装置１２に傘立て１００を設けることで、コピー時にその傘１０１を該傘立て１００内に入れることができ、傘１０１が邪魔にならない。
【００６４】
また、図２２に示すように、この傘立て１００を収納可能にしても良い。この場合、画像出力装置１２の前面には、矩形孔１０２が形成され、画像出力装置１２の内部には、該矩形孔１０２と繋がる箱状の中空部１０４が形成されて、該中空部１０４内を傘立て１００がスライド可能となる。
【００６５】
傘立て１００の前面には、把持部１０６が形成されており、該把持部１０６に手を掛け引張ると、傘立て１００が引出される。傘立て１００を必要としない場合は、該傘立て１００を画像出力装置１２内に収納しておく。この場合もまた、図２３に示すように、傘立て１００を複数設けても良い。
【００６６】
なお、ここでは、傘立て１００の前面に把持部１０６を設け、該把持部１０６に手を掛け傘立て１００を画像出力装置１２に対して出入させるようにしたが、前述したプッシュ・オープン式のロック機構を用いて、該傘立て１００を出入させるようにしても良い。
【００６７】
さらに、図２４に示すように、画像出力装置１２の前面にペダル１０８を設けて、該ペダル１０８の動作と角錐状の傘立て１１０の動作を連動させ、ペダル１０８を踏むことで、該ペダル１０８の動作に連動して傘立て１１０を前方へ倒れ込ませ、画像出力装置１２の前方へ露出させて使用できるようにしても良い。そして、ペダル１０８を元の位置に戻すと、該ペダル１０８の動作に連動して、傘立て１１０を元の位置に戻し、画像出力装置１２に収納されるようにする。
【００６８】
また、これ以外にも、図２５に示すように、折り畳み式の傘立て１１２を用いても良い。画像出力装置１２の側面に、収納凹部１１４、１１６を上下に設け、収納凹部１１４内には板状のホルダー１１８が収納可能となっており、収納凹部１１６内には、箱状の容器１２０が収納可能となっている。このホルダー１１８と容器１２０の側壁は、リンク１２２によって連結され、該リンク１２２の上下移動によって、ホルダー１１８及び容器１２０が一体に開閉する。
【００６９】
ところで、ホルダー１１８は略長方形状を成しており、長手方向に沿った一方には、円形の貫通孔１２４が形成され、傘を挿通可能としている。挿通された傘から流れるしずくは、ホルダー１１８の下方に位置する容器１２０内に貯留される。
【００７０】
また、ホルダー１１８の貫通孔１２４の反対側には、略Ｕ字状の切欠き部１２６が形成され、ホルダー１１８の側端部の上面には、円弧状の凹部１２８Ａが凹設されて、フック１２８が設けられている。切欠き部１２６を通じて、該フック１２８にかばんなどを引っ掛けることができる。
【００７１】
これらの実施形態によれば、不特定多数の人が訪れるパブリックな場において、設置されている複写機（複合機）を利用する際、コピー、デジカメプリントなどを行う際に、ユーザの荷物、その他、作業に関して付随的に必要となり持参してきた物（携帯物）を、容易に保持、収納する事で安心して効率的に作業が図れる。また、これらの携帯物を拘束することで、盗難防止となり、安心かつ集中してコピー、デジカメプリントなどの操作が行える。
【００７２】
本発明は、上記の実施の形態に限るものではなく、本発明の要旨を逸脱しない限りにおいて、種々の変形、変更、改良が可能である。例えば、上記では実施形態毎に説明したが、上記で説明した複数の実施形態を併せ持った構成であっても良い。
【図面の簡単な説明】
【００７３】
【図１】本発明の第１実施形態に係る画像形成装置を示す斜視図である。
【図２】本発明の第１実施形態に係る画像形成装置の第１変形例を示す斜視図である。
【図３】本発明の第１実施形態に係る画像形成装置の第２変形例を示す斜視図である。
【図４】本発明の第１実施形態に係る画像形成装置の第３変形例を示す斜視図である。
【図５】本発明の第２実施形態に係る画像形成装置を示す斜視図である。
【図６】本発明の第２実施形態に係る画像形成装置の第１変形例を示す斜視図である。
【図７】本発明の第２実施形態に係る画像形成装置の第２変形例を示す斜視図である。
【図８】本発明の実施形態に係る画像形成装置の排出トレイを示す斜視図である。
【図９】（Ａ）は、本発明の実施形態に係る画像形成装置の排出トレイの変形例を示す斜視図であり、（Ｂ）は、要部を示す断面図である。
【図１０】本発明の第３実施形態に係る画像形成装置を示す斜視図である。
【図１１】本発明の第３実施形態に係る画像形成装置の第１変形例を示す斜視図である。
【図１２】本発明の第３実施形態に係る画像形成装置の第２変形例を示す斜視図である。
【図１３】本発明の第４実施形態に係る画像形成装置を示す斜視図である。
【図１４】本発明の第４実施形態に係る画像形成装置の第１変形例を示す斜視図である。
【図１５】本発明の第４実施形態に係る画像形成装置の第２変形例を示す斜視図である。
【図１６】（Ａ）は、本発明の第４実施形態に係る画像形成装置の第３変形例を示す斜視図であり、（Ｂ）は、要部を示す断面図である。
【図１７】（Ａ）は、本発明の第４実施形態に係る画像形成装置の第４変形例を示す斜視図であり、（Ｂ）は、要部を示す断面図である。
【図１８】（Ａ）は、本発明の第５実施形態に係る画像形成装置を示す斜視図であり、（Ｂ）は、要部を示す斜視図である。
【図１９】本発明の第５実施形態に係る画像形成装置の第１変形例を示す斜視図である。
【図２０】本発明の第５実施形態に係る画像形成装置の第２変形例を示す斜視図である。
【図２１】本発明の第６実施形態に係る画像形成装置を示す斜視図である。
【図２２】本発明の第６実施形態に係る画像形成装置の第１変形例を示す斜視図である。
【図２３】本発明の第６実施形態に係る画像形成装置の第２変形例を示す斜視図である。
【図２４】本発明の第６実施形態に係る画像形成装置の第３変形例を示す斜視図である。
【図２５】本発明の第６実施形態に係る画像形成装置の第４変形例を示す斜視図である。
【符号の説明】
【００７４】
１０   デジタルプリント装置（画像形成装置）
１２   画像出力装置（画像形成装置）
２６   収納凹部（箱、収納室）
２８   蓋体（開閉蓋）
３０   載置台（拘束手段）
３２   収納箱（引出し箱、収納室）
３４   凹部（置場スペース）
３８   矩形凹部（置場スペース）
４４   収納ボックス（収納室）
４６   ファイルポケット（置場スペース）
６８   載置台（板材、置場スペース）
７４   引掛け部
７６   フック（引掛け部）
８６   ロック部材（引掛け部）
８８   荷物入れ（引出し箱、収納室）
９６   荷物入れ（箱、収納室）
９８   開閉蓋
１００ 傘立て（置場スペース）
１２４ 貫通孔（収納室）
１２８ フック（引掛け部）
【図１】
2008298995.tif 000003
【図２】
2008298995.tif 000004
【図３】
2008298995.tif 000005
【図４】
2008298995.tif 000006
【図５】
2008298995.tif 000007
【図６】
2008298995.tif 000008
【図７】
2008298995.tif 000009
【図８】
2008298995.tif 000010
【図９】
2008298995.tif 000011
【図１０】
2008298995.tif 000012
【図１１】
2008298995.tif 000013
【図１２】
2008298995.tif 000014
【図１３】
2008298995.tif 000015
【図１４】
2008298995.tif 000016
【図１５】
2008298995.tif 000017
【図１６】
2008298995.tif 000018
【図１７】
2008298995.tif 000019
【図１８】
2008298995.tif 000020
【図１９】
2008298995.tif 000021
【図２０】
2008298995.tif 000022
【図２１】
2008298995.tif 000023
【図２２】
2008298995.tif 000024
【図２３】
2008298995.tif 000025
【図２４】
2008298995.tif 000026
【図２５】
2008298995.tif 000027